(57)【特許請求の範囲】
【請求項１】
給湯器からの高温差し湯によって浴槽内の湯の追焚を行うと共に比較的低温の湯の落とし込みによって浴槽内に湯張りを行う風呂装置の制御方法において、
浴槽へ差し湯するための注湯路に、電気信号によって開閉する電磁弁と感熱部材によって開閉する感熱弁との２種類の開閉弁を設け、
高温差し湯運転を行う際には、前記電磁弁を開いて注湯を開始し、このとき前記注湯路に流れる高温の湯を前記感熱弁に接触させることによって感熱弁を開き、感熱弁が開いたら電磁弁を閉じることを特徴とする風呂装置の制御方法。
【請求項２】
給湯器からの高温差し湯によって浴槽内の湯の追焚を行うと共に比較的低温の湯の落とし込みによって浴槽内に湯張りを行う風呂装置の制御方法において、
浴槽へ差し湯するための注湯路に、電気信号によって開閉する電磁弁と、注湯路に流れる湯水の温度によって感熱部材が熱的影響を受けることによって動作する感熱弁との２種類の開閉弁を設け、
高温差し湯運転を終了する際には、前記給湯器の燃焼運転を停止して前記注湯路に低温の水を流通させ、この低温の湯を感熱弁に接触させることによって感熱弁を閉じることを特徴とする風呂装置の制御方法。
【発明の詳細な説明】
【０００１】
【発明の属する技術分野】
本発明は、高温差し湯によって浴槽内の湯の追焚を行うことができる風呂装置の制御方法に関する。
【０００２】
【従来の技術】
熱交換器を備えた追焚用の加熱循環回路を用いることなく、簡易に浴槽内の湯の追焚を行う方式としては、給湯器からの高温差し湯によって浴槽内の湯温を高くする方式がある。
【０００３】
従来にあっては、浴槽に高温差し湯するための注湯路にはパイロット式電磁開閉弁を設けてあり、この電磁開閉弁を開いて浴槽に８０℃の湯を差し湯し、浴槽内の湯温が設定温度に達したら電磁開閉弁を閉じて差し湯を停止している。
【０００４】
このような高温差し湯方式の風呂装置では、追焚によって浴槽内の水位が上昇するので、かかる見地からは差し湯に用いる湯はできるだけ高温にして少量の湯を差し湯することが望ましい。このため、従来よりも高温の９０℃くらいの高温の湯を差し湯することが望まれる。
【０００５】
【発明が解決しようとする課題】
しかし、注湯路に電磁開閉弁を用いている風呂装置では、差し湯温度が９０℃の高温になると、給湯器内の熱交換器で成長した缶石が剥離して注湯路を流れるので、この缶石が電磁開閉弁のブリード孔に詰まり、電磁開閉弁が閉弁不良になるという問題が生じる。
【０００６】
この対策として、モータ駆動にてバルブを開閉するセラミック電動弁を採用した風呂装置がある。ところが、セラミック電動弁を用いた場合には、閉弁するためには静電容量の大きな電解コンデンサが必要で高価につき、また、モータ駆動であるため、差し湯中に停電が起きると、閉弁できなくなる欠点がある。
【０００７】
本発明は、上記の従来例の問題点に鑑みてなされたものであり、その目的とするところは、９０℃くらいの高温差し湯を行っても動作不良を起こしたり、停電により閉弁できなくなったりする恐れのない風呂装置の制御方法を提供することにある。
【０００８】
【発明の開示】
本発明の請求項１にかかる風呂装置の制御方法は、給湯器からの高温差し湯によって浴槽内の湯の追焚を行うと共に比較的低温の湯の落とし込みによって浴槽内に湯張りを行う風呂装置の制御方法において、浴槽へ差し湯するための注湯路に、電気信号によって開閉する電磁弁と感熱部材によって開閉する感熱弁との２種類の開閉弁を設け、高温差し湯運転を行う際には、前記電磁弁を開いて注湯を開始し、このとき前記注湯路に流れる高温の湯を前記感熱弁に接触させることによって感熱弁を開き、感熱弁が開いたら電磁弁を閉じることを特徴としている。ここで、感熱部材とは、熱膨張係数の大きな材料や形状記憶合金等である。
【０００９】
しかして、高温差し湯をする場合には、感熱弁を開いて高温の湯を浴槽に注湯することにより缶石の詰まりによる閉弁不良が起こりにくくなる。また、比較的低温の湯の落とし込みを行う場合には、電磁弁を開いて浴槽に湯を落とし込むことにより缶石の詰まりが起こりにくい状態で電磁弁を使用することができ、しかも速やかに注湯路を開閉することができる。
【００１０】
さらに電磁弁と感熱弁とを併用しても、セラミック電磁弁と静電容量の大きな電解コンデンサよりも安価に抑えることができる。しかも、電磁弁も感熱弁も一般に無通電時や熱的負荷を与えていない時には閉弁するので、このような常閉型の電磁弁や感熱弁を用いることにより、停電時には自然に注湯路が閉じられ、閉弁できなくなる恐れがなくなる。
【００１１】
また、請求項１の風呂装置の制御方法にあっては、高温差し湯運転を行う際には、前記電磁弁を開いて注湯を開始し、このとき前記注湯路に流れる高温の湯を前記感熱弁に接触させることによって感熱弁を開き、感熱弁が開いたら電磁弁を閉じるようにしているので、注湯開始時に、高温の湯によって感熱弁を開くことができるためにヒーターを備えない感熱弁を用いることができ、また電磁弁を注湯開始時に一時的に開くだけであるため、省電力化を図ることができる。
【００１２】
本発明の請求項２にかかる風呂装置の制御方法は、給湯器からの高温差し湯によって浴槽内の湯の追焚を行うと共に比較的低温の湯の落とし込みによって浴槽内に湯張りを行う風呂装置の制御方法において、浴槽へ差し湯するための注湯路に、電気信号によって開閉する電磁弁と、注湯路に流れる湯水の温度によって感熱部材が熱的影響を受けることによって動作する感熱弁との２種類の開閉弁を設け、高温差し湯運転を終了する際には、前記給湯器の燃焼運転を停止して前記注湯路に低温の水を流通させ、この低温の湯を感熱弁に接触させることによって感熱弁を閉じることを特徴としている。ここで、感熱部材とは、熱膨張係数の大きな材料や形状記憶合金等である。
【００１３】
しかして、請求項２の風呂装置の制御方法にあっては、高温差し湯をする場合には、感熱弁を開いて高温の湯を浴槽に注湯することにより缶石の詰まりによる閉弁不良が起こりにくくなる。また、比較的低温の湯の落とし込みを行う場合には、電磁弁を開いて浴槽に湯を落とし込むことにより缶石の詰まりが起こりにくい状態で電磁弁を使用することができ、しかも速やかに注湯路を開閉することができる。
【００１４】
さらに電磁弁と感熱弁とを併用しても、セラミック電磁弁と静電容量の大きな電解コンデンサよりも安価に抑えることができる。しかも、電磁弁も感熱弁も一般に無通電時や熱的負荷を与えていない時には閉弁するので、このような常閉型の電磁弁や感熱弁を用いることにより、停電時には自然に注湯路が閉じられ、閉弁できなくなる恐れがなくなる。
【００１５】
また、請求項２の風呂装置の制御方法における前記感熱弁は、注湯路に流れる湯水の温度によって感熱部材が熱的影響を受けることによって開閉するので、感熱弁を開閉するためのヒーターが必要なく、コストを安価にすることができる。
【００１６】
さらに、請求項２の風呂装置の制御方法にあっては、注湯路に流れる湯水の温度によって感熱部材が熱的影響を受けることによって動作するようにした風呂装置において、高温差し湯運転を終了する際には、前記給湯器の燃焼運転を停止して前記注湯路に低温の水を流通させ、この低温の湯を感熱弁に接触させることによって感熱弁を閉じるようにしているので、高温差し湯の運転終了時に、感熱弁を閉じるために特別な装置が必要なく、容易に感熱弁を閉弁させることができる。
【００１７】
【発明の実施の形態】
（第１の実施形態）
図１は本発明の第１の実施形態による風呂装置の構成を示す概略図である。この風呂装置は、給湯器１と給湯器１を浴槽２等に接続するための配管部分とから構成されている。まず、給湯器１の構造から説明する。缶体３内の下部にはガスバーナー４が設けられており、ガス供給管５を通じて供給されたガスを燃焼させる。また、缶体３の底面にはガスを適正な空燃比で燃焼させるための空気を強制的に供給する送風機６が設けられ、缶体３の上面にはガスバーナー４で燃焼した排ガスを排気するための排気ダクト７が設けられている。
【００１８】
また、缶体３内においてガスバーナー４の上方には、通水用のパイプを蛇行状に屈曲させた熱交換器８が配設されている。熱交換器８の入水口には、上水道からの水を供給するための入水管９が接続されており、熱交換器８の出湯口には、熱交換器８で加熱された湯を出湯するための出湯管１１が接続されている。入水管９には水量センサ１０が設けられている。出湯管１１には流量調整弁１２と出湯温度センサＴＨが設けられており、出湯温度センサＴＨよりも下流側において出湯管１１は浴槽２へ差し湯及び湯張りを行うための注湯管１３とカランやシャワー等の出湯端末に給湯するための給湯管１４とに分岐している。
【００１９】
注湯管１３はその一部で並列な２本の分岐管１３ａ、１３ｂに分かれており、パイロット式電磁開閉弁１５と熱動弁１６（感熱弁）とが互いに並列となるよう一方の分岐管１３ａに電磁開閉弁１５が設けられ、他方の分岐管１３ｂに熱動弁１６が設けられている。さらに、その下流側には逆止弁１７が設けられ、注湯管１３の先端は浴槽２のバスアダプター１８に接続されている。
【００２０】
また、給湯管１４には逆止弁１９と水抜き栓２０が設けられており、入水管９から分岐したバイパス管２１が給湯管１４の逆止弁１９よりも下流部分に接続されている。なお、２２はバイパス水量制御弁である。
【００２１】
電磁開閉弁１５は、ソレノイドを励磁すると、スプリングに抗してプランジャがソレノイド内に引き込まれ、ケース内の水通路に設けられた弁座とバルブ（ダイアフラム）との間が開成されるものであり、無通電時にはスプリングによって水圧に抗してバルブと弁座の間が閉じられる。また、熱動弁１６は、図２に示すように、ＰＴＣヒーター等のヒーター３８に通電してピストン状の感熱部３９を加熱すると、感熱部３９の内部に封止されているワックス等の熱膨張係数の大きな感熱部材が膨張し、スプリング４０に抗してロッド４１が感熱部３９から押し出され、ケース４２内の水通路４３に設けられた弁座４４とバルブ４５との間が開成されるものであり、無通電時にはスプリング４０によって水圧に抗してバルブ４５が閉じられる。
【００２２】
しかして、注湯管１２の電磁開閉弁１４及び熱動弁１５を閉じた状態で、カラン等の出湯端末が開栓されると、水量センサ１０が入水管９に最低作動流量以上の水が流れていることを検出した時にガスバーナー４が燃焼を開始し、熱交換器８で加熱された湯が出湯管１１へ出湯される。出湯管１１へ出湯された湯は給湯管１４へ流れ、バイパス管２１を通って給湯管１４へ流れ込んだ水と混合された後、カラン等の出湯端末から吐出される。
【００２３】
また、浴槽２内に高温（９０℃）の湯を差し湯して浴槽２内の湯を追い焚きする場合には、図３のフロー図に示すように、リモコンの追焚スイッチをオンにし（ステップＳ１）、熱動弁１６のヒーター３８に通電して（ステップＳ２）熱動弁１６のみを開く。熱動弁１６が開くと、水量センサ１０が入水管９に最低作動流量以上の水が流れているのを検出した時に（ステップＳ３）ガスバーナー４が燃焼を開始し、熱交換器８で加熱された高温の湯が出湯管１１へ出湯される（ステップＳ４）。出湯管１１へ出湯された高温の湯は熱動弁１６を通って注湯管１３を流れ、バスアダプター１８から浴槽２に注湯される。
【００２４】
逆に、高温差し湯を停止する場合には、図４のフロー図に示すように、追焚スイッチをオフにして（ステップＳ６）熱動弁１６のヒーター３８への通電を停止し（ステップＳ７）、熱動弁１６が閉じて給湯器１の流量が最低作動流量以下になると（ステップＳ８）、給湯器１が燃焼を停止し、追焚運転を完了する（ステップＳ９）。
【００２５】
このように高温差し湯の場合には、熱動弁１６を通して９０℃といった高温の湯が流れるので、電磁開閉弁１５を用いる場合のように缶石詰まりで閉弁不良が起きる恐れがない。また、セラミック電動弁のように高価な電解コンデンサも必要ない。さらに、高温差し湯を行っている時に停電が起こっても、熱動弁１６はスプリング４０によってバルブ４５が閉じられるので閉弁できなくなることもない。
【００２６】
つぎに、空の浴槽２内に比較的低温（例えば、４０数℃）の湯を落とし込んでお湯張りする場合には、図５のフロー図に示すように、リモコンのお湯張りスイッチをオンにし（ステップＳ１１）、電磁開閉弁１５に通電して電磁開閉弁１５のみを開く（ステップＳ１２）。電磁開閉弁１５が開くと、水量センサ１０が入水管９に最低作動流量以上の水が流れているのを検出した時に（ステップＳ１３）ガスバーナー４が燃焼を開始し、熱交換器８で加熱された湯が出湯管１１へ出湯される。出湯管１１へ出湯された湯は電磁開閉弁１５を通って注湯管１３を流れ、バスアダプター１８から浴槽２に落とし込まれてお湯張りが開始する（ステップＳ１４）。
【００２７】
逆に、浴槽２への湯の落とし込みを停止する場合には、図６のフロー図に示すように、お湯張りスイッチをオフにし（ステップＳ１６）、電磁開閉弁１５への通電を停止して電磁開閉弁１５を閉じて（ステップＳ１７）お湯張りを完了する（ステップＳ１８）。
【００２８】
このように比較的低温の湯を浴槽２内に落とし込む場合には、電磁開閉弁１５を用いても缶石詰まりが起きる恐れがなく、しかも電磁開閉弁１５は熱動弁１６と比較してレスポンスが良好である。また、セラミック電動弁のように高価な電解コンデンサも必要ない。さらに、湯張りを行っている時に停電が起こっても、電磁開閉弁１５はスプリング３２によってバルブ３７が閉じられるので閉弁できなくなることもない。
【００２９】
よって、このような風呂装置によれば、缶石詰まりによって閉弁不良が起きることもなく、また停電時にも確実に注湯管１３を閉弁することができる。また、セラミック電動弁及び静電容量の大きな電解コンデンサに比較して、電磁開閉弁及び能動弁の方が部品コストが安価となる。
【００３０】
（第２の実施形態）
第２の実施形態もほぼ第１の実施形態と同様な構造を有しているが、第１の実施形態において電磁開閉弁１５と熱動弁１６を並列にしていた部分（第１図のＡ部分）を図７のような構造に変更している。
【００３１】
すなわち、この実施形態でもパイロット式電磁開閉弁１５と熱動弁４６とは、互いに並列となるようにしてそれぞれ分岐管１３ａと１３ｂに設けられている。しかし、この実施形態の熱動弁４６はヒータへの通電によって感熱部を加熱するものではなく、注湯管１３に流れる湯の熱によって感熱部４７を加熱するようにしている。すなわち、この熱動弁４６の構造は図８に示すようになっており、ピストン状の感熱部４７が加熱されると、感熱部４７の内部に封止されているワックス等の熱膨張係数の大きな感熱部材が膨張し、スプリング４８に抗してロッド４９が感熱部４７から押し出され、ケース５０内の水通路５１に設けられた通水孔５２とバルブ５３との間が開成されるものである。
【００３２】
熱動弁４６のバルブ５３は、電磁開閉弁１５と並列となるように分岐管１３ｂに設けられているが、その感熱部４７は分岐部１３ａと１３ｂとの分岐点よりも上流側において注湯管１３を流れる湯と接するように設けられている。また、熱動弁４６のバルブ５３は、感熱部４７が高温の湯（９０℃）に触れたときに開き、湯張り用の比較的低温の湯では開かないようにスプリング力などを調整されている。
【００３３】
しかして、浴槽２内に高温（９０℃）の湯を差し湯して浴槽２内の湯を追い焚きする場合には、図９のフロー図に示すように、リモコンの追焚スイッチをオンにして（ステップＳ２１）電磁開閉弁１５を開く（ステップＳ２２）。電磁開閉弁１５が開くと、水量センサ１０が入水管９に最低作動流量以上の水が流れているのを検出した時に（ステップＳ２３）ガスバーナー４が燃焼を開始し、熱交換器８から９０℃の高温の湯の出湯が開始され（ステップＳ２４）、出湯管１１へ出湯された高温の湯は電磁開閉弁１５を通って注湯管１３を流れる。
【００３４】
この結果、熱動弁４６の感熱部４７が高温の湯に触れ、感熱部４７が９０℃になると熱動弁４６のバルブ５３が開き（ステップＳ２６）、高温の湯は熱動弁５４を通って注湯管１３を流れるので、出湯温度センサＴＨが９０℃の温度を検出すると（ステップＳ２５）、電磁開閉弁１５を無通電にして電磁開閉弁１５を閉じ（ステップＳ２７）、そのまま高温差し湯を継続する（ステップＳ２８）。
【００３５】
高温差し湯を終了する場合には、図１０のフロー図に示すように、追焚スイッチをオフにして（ステップＳ３１）熱交換器８からの出湯温度を下げると（ステップＳ３２）、感熱部４７の温度が下がるので、熱動弁４６が閉じ、給湯器１の流量が最低作動流量以下になると（ステップＳ３３）、給湯器１が燃焼を停止し、追焚運転が完了する（ステップＳ３４）。停電の場合にも高温の湯が水に変わるので、その水の冷却効果によって感熱部４７の温度が下がり、熱動弁４６が速やかに閉じる。
【００３６】
つぎに、空の浴槽２内に比較的低温（例えば、４０数℃）の湯を落とし込んでお湯張りする場合には、注湯管１３の電磁開閉弁１５に通電して電磁開閉弁１５のみを開く。電磁開閉弁１５が開くと、水量センサ１０が入水管９に最低作動流量以上の水が流れているのを検出した時にガスバーナー４が燃焼を開始し、熱交換器８で加熱された湯が出湯管１１へ出湯される。出湯管１１へ出湯された湯は電磁開閉弁１５を通って注湯管１３を流れ、バスアダプター１８から浴槽２に落とし込まれる。このときにも、熱動弁４６の感熱部４７は注湯路１３内の湯に接触するが、湯温が低いので熱動弁４６は閉じたままに保たれる。（図５参照）
【００３７】
湯張りを終了する場合には、電磁開閉弁１５への通電を停止する。停電の場合にも電磁開閉弁１５に通電されなくなるので、電磁開閉弁１５が閉じる。（図６参照）
【００３８】
上記のように、この実施形態にあっても、電磁開閉弁１５及び熱動弁４６は第１の実施形態と同様な動作をするので、第１の実施形態と同様な作用効果を奏する。すなわち、このような風呂装置によれば、缶石詰まりによって閉弁不良が起きることもなく、また停電時にも確実に注湯管１３を閉弁することができる。また、セラミック電動弁及び静電容量の大きな電解コンデンサに比較して、電磁開閉弁１５及び能動弁４６の方が部品コストが安価となる。更に、熱動弁４６を開く際には、最初に電磁開閉弁１５のソレノイド３１に通電するだけでよいので、省電力を図れる。
【００３９】
図１１は図７に示したような構成の第２の実施形態に用いることができる別な構造の熱動弁４６の構造を示す概略断面図である。この熱動弁４６にあっては、分岐管１３ａと分岐管１３ｂとの近傍で分岐管１３ｂの端にケース５４が設けられており、ケース５４の上面には注湯管１３及び分岐管１３ａに連通する通水孔５５が開口され、下面には分岐管１３ｂと連通した開口５６があけられている。また、通水孔５５の下面に設けられたバルブ５７はケース５４の底面との間に介装されたバイアスバネ５８によって通水孔５５の縁に押圧され、通水孔５５を閉じている。一方、バルブ５７の上面と注水管１３の内壁面との間に形状記憶合金によって作製されたバネ５９が介装されている。この形状記憶合金バネ５９は９０℃に変態点を設定されており、９０℃よりも低い温度では収縮し、９０℃以上の温度では伸張するように記憶付けされている。従って、熱動弁４６のバルブ５７は、通常はバイアスバネ５８によって閉じられているが、高温差し湯時に形状記憶合金バネ５９が高温の湯に触れると伸張し、バルブ５７が強制的に開かれる。また、形状記憶合金バネ５９の温度が９０℃よりも下がると、再びバイアスバネ５８の弾性力によってバルブ５７が閉じられる。
【００４０】
よって、このような熱動弁４６を用いても第２の実施形態の作用効果を実現することができる。
【００４１】
図１２に示すものは、形状記憶合金バネ５９を用いたさらに別な構造の熱動弁４６を示している。この熱動弁４６にあっては、バルブ５７が分岐管１３ｂ側の背圧によって閉じにくくなるのを防止するため、バルブ５７の中央部に通孔６０をあけ、通孔６０から湯が流通できるようにしている。
【００４２】
一方、分岐管１３ｂをつなぐための開口５６をケース５４の側面に設け、バルブ５７の下面と対向させてケース５４の底面から円柱ガイド６１を突出させると共にバルブ５７の下面から垂下させた円筒体６２を円柱ガイド６１に摺動自在に嵌合させ、円柱ガイド６１の外周面と円筒体６２の内周面との間をパッキン６３で水密的に封止し、バルブ５７の通孔６０を通して分岐管１３ａ側と分岐管１３ｂ側とで水漏れが生じるのを防いでいる。
【００４３】
このような構造の熱動弁によれば、バルブ５７の両面に同じ水圧が加わるので、バルブ５７が閉じ易くなり、バイアスバネ５８もバルブ５７を閉じておくのに必要最低限のバネ定数のものを用いることができる。
【００４４】
（第３の実施形態）
第３の実施形態もほぼ第１の実施形態と同様な構造を有しているが、第１の実施形態において電磁開閉弁１５と熱動弁１６を並列にしていた部分（第１図のＡ部分）を図１３のような構造に変更している。
【００４５】
すなわち、この実施形態でもパイロット式電磁開閉弁１５と熱動弁７１とは、互いに並列となるようにしてそれぞれ分岐管１３ａと１３ｂに設けられている。この実施形態の熱動弁７１は、感熱部４７を加熱するためのＰＴＣヒーター等のヒータ７２を備えており、さらに、分岐管１３ｂに流れる湯の熱によって感熱部４７を加熱するようにしている。すなわち、この熱動弁７１の構造は図１４に示すようになっており、ピストン状の感熱部４７が加熱されると、感熱部４７の内部に封止されているワックス等の熱膨張係数の大きな感熱部材が膨張し、スプリング４８に抗してロッド４９が感熱部４７から押し出され、ケース５０内の水通路５１に設けられた通水孔５２とバルブ５３との間が開成されるものである。
【００４６】
熱動弁７１のバルブ５３は、電磁開閉弁１５と並列となるように分岐管１３ｂに設けられており、その感熱部４７も分岐管１３ｂのうちバルブ５３よりも上流側において分岐管１３ｂを流れる湯と接するように設けられている。また、熱動弁７１のバルブ５３は、ヒーター７２で加熱されたとき、あるいは感熱部４７が高温の湯（９０℃）に触れたときに開き、湯張り用の比較的低温の湯では開かないようにスプリング力等を調整されている。
【００４７】
しかして、浴槽２内に高温（９０℃）の湯を差し湯して浴槽２内の湯を追い焚きする場合には、図１５のフロー図に示すように、リモコンの追焚スイッチをオンにし（ステップＳ４１）、熱動弁７１のヒーター７２に通電して（ステップＳ４２）感熱部４７を加熱し、バルブ５３を開く。熱動弁７１のバルブ５３が開くと、水量センサ１０が入水管９に最低作動流量以上の水が流れているのを検出した時に（ステップＳ４３）ガスバーナー４が燃焼を開始し、熱交換器８で加熱された高温の湯が出湯管１１へ出湯され（ステップＳ４４）、出湯管１１へ出湯された高温の湯は熱動弁７１を通って注湯管１３を流れる。熱動弁４６の感熱部４７が高温の湯に触れるとヒーター７２をオフにしても湯温で熱動弁４６が開状態に保たれるので、出湯温度センサＴＨが９０℃の温度を検出すると（ステップＳ４５）、ヒーター７２の通電を停止し（ステップＳ４６）、そのままの状態で高温差し湯を継続する（ステップＳ４７）。
【００４８】
高温差し湯を終了する場合には、図１６のフロー図に示すように、追焚スイッチをオフにして（ステップＳ５１）熱交換器８からの出湯温度を下げると（ステップＳ５２）、感熱部４７の温度が下がるので、熱動弁７１が閉じ、給湯器１の流量が最低作動流量以下になると（ステップＳ５３）、給湯器１が燃焼を停止し、追焚運転が完了する（ステップＳ７１）。停電の場合には高温の湯が水に変わるので、その水の冷却効果によって感熱部４７の温度が下がり、速やかに熱動弁７１が閉じる。
【００４９】
つぎに、空の浴槽２内に比較的低温（例えば、４０数℃）の湯を落とし込んでお湯張りする場合には、注湯管１３の電磁開閉弁１５に通電して電磁開閉弁１５のみを開く。電磁開閉弁１５が開くと、水量センサ１０が入水管９に最低作動流量以上の水が流れているのを検出した時にガスバーナー４が燃焼を開始し、熱交換器８で加熱された湯が出湯管１１へ出湯される。出湯管１１へ出湯された湯は電磁開閉弁１５を通って注湯管１３を流れ、バスアダプター１８から浴槽２に落とし込まれる。このときにも、熱動弁７１の感熱部４７は注湯路１３内の湯に接触するが、湯温が低いので熱動弁７１は閉じたままに保たれる。（図５参照）
【００５０】
湯張りを終了する場合には、電磁開閉弁１５への通電を停止する。停電の場合にも電磁開閉弁１５に通電されなくなるので、電磁開閉弁１５が閉じる。（図６参照）
【００５１】
上記のように、この実施形態にあっても、電磁開閉弁１５及び熱動弁７１は第１の実施形態と同様な動作をするので、第１の実施形態と同様な作用効果を奏する。すなわち、このような風呂装置によれば、缶石詰まりによって閉弁不良が起きることもなく、また停電時にも確実に注湯管１３を閉弁することができる。また、セラミック電動弁及び静電容量の大きな電解コンデンサに比較して、電磁開閉弁１５及び能動弁７１の方が部品コストが安価となる。更に、熱動弁７１を開く際には、最初にヒーター７２に通電するだけでよいので、省電力を図れる。
【００５２】
なお、上記実施形態においては、高温の湯を９０℃の湯としたが、これに限定されるものではなく、例えば６０℃以上のような風呂に落とし込む温度として通常より高温の温度によって差し湯される場合も含まれる。
【図面の簡単な説明】
【図１】本発明の第１の実施形態による風呂装置の構成を示す概略図である。
【図２】図１の風呂装置に用いられている熱動弁の構造を示す概略断面図である。
【図３】図１の風呂装置の高温差し湯の開始時の動作を示すフロー図である。
【図４】図１の風呂装置の高温差し湯の終了時の動作を示すフロー図である。
【図５】図１の風呂装置のお湯張りの開始時の動作を示すフロー図である。
【図６】図１の風呂装置のお湯張りの終了時の動作を示すフロー図である。
【図７】本発明の第２の実施形態による風呂装置の要部の構成を示す概略図である。
【図８】第２の実施形態による風呂装置に用いられている熱動弁の構造を示す概略断面図である。
【図９】第２の実施形態による風呂装置の高温差し湯の開始時の動作を示すフロー図である。
【図１０】第２の実施形態による風呂装置の高温差し湯の終了時の動作を示すフロー図である。
【図１１】第２の実施形態による風呂装置に用いられる別な構造の熱動弁を示す概略断面図である。
【図１２】第２の実施形態による風呂装置に用いられる別な構造の熱動弁を示す概略断面図である。
【図１３】本発明の第３の実施形態による風呂装置の要部の構成を示す概略図である。
【図１４】第３の実施形態による風呂装置に用いられている熱動弁の構造を示す概略断面図である。
【図１５】第３の実施形態による風呂装置の高温差し湯の開始時の動作を示すフロー図である。
【図１６】第３の実施形態による風呂装置の高温差し湯の終了時の動作を示すフロー図である。
【符号の説明】
１      給湯器
２      浴槽
１０      水量センサ
１１      出湯管
１３      注湯管
１５      電磁開閉弁
１６      熱動弁
３１      ソレノイド
３２      スプリング３２
３７      バルブ
３８      ヒーター
４０      スプリング
４５      バルブ
４６      熱動弁
４７      感熱部
４８      スプリング
５３      バルブ
５７      バルブ
５８      バイアスバネ
５９      形状記憶合金バネ
７１      熱動弁
７２      ヒーター
【図１】
0004085540.tif 000002
【図２】
0004085540.tif 000003
【図３】
0004085540.tif 000004
【図４】
0004085540.tif 000005
【図５】
0004085540.tif 000006
【図６】
0004085540.tif 000007
【図７】
0004085540.tif 000008
【図８】
0004085540.tif 000009
【図９】
0004085540.tif 000010
【図１０】
0004085540.tif 000011
【図１１】
0004085540.tif 000012
【図１２】
0004085540.tif 000013
【図１３】
0004085540.tif 000014
【図１４】
0004085540.tif 000015
【図１５】
0004085540.tif 000016
【図１６】
0004085540.tif 000017